(57)【要約】      （修正有）【課題】太陽パネル建造物のような上部建造物を保持する基礎架台に用いられる天板を、上部建造物仕様に汎用的に対応し、煩わしさを低減させた基礎架台を提供する。【解決手段】天板１が、杭基礎材３の上端面に溶接で固着された上端フランジ６および上端フランジに固着されるアタッチメントプレート７から構成され、アタッチメントプレートが、杭基礎材を中央にしてベースプレート４に対称配置され、かつ対称配置の側方平坦面部３１と側方平坦部間に配置される、底部平坦面３４の凹形状部３３とから構成され、側方平坦面部に上部建造物体との接続用孔が設けられ、底部平坦面が上端フランジに着脱可能に接続され一体とされる。【選択図】図１
0003188748.tif 000002
【実用新案登録請求の範囲】
【請求項１】
鋼製の天板と、鋼製の平坦状下端フランジと、下端フランジよりも大面積を有して下端フランジの下面で下端フランジに固定される鋼製の平坦状のベースプレートと、天板と下端フランジとに固定され、鉛直方向に配置される鋼製の杭基礎材とから構成され、地中に埋設する基礎土台にベースプレートを介して接続される基礎架台において、
天板が、杭基礎材の上端面に溶接で固着された上端フランジおよび上端フランジに固着されるアタッチメントプレートから構成され、
該アタッチメントプレートが、杭基礎材を中央にしてベースプレートに対称配置され、かつ対称配置の側方平坦面部と側方平坦部間に配置される、底部平坦面の凹形状部とから構成され、側方平坦面部に上部建造物体との接続用孔が設けられ、底部平坦面が上端フランジに着脱可能に接続され一体とされること
を特徴とする基礎土台に一部埋設される基礎架台。
【考案の詳細な説明】
【技術分野】
【０００１】
本考案は、基礎土台に一部埋設される基礎架台に関する。
【背景技術】
【０００２】
上部設置物としての建造物あるいは簡易構造物（以下、上部建造物という）、例えば太陽ソーラパネルを固定、保持するために地中へ一部基礎土台に埋め込まれて設置される基礎架台が用いられる。この基礎架台に、上部建造物が載置され、保持されることになる。このように基礎架台は、上部建造物を基礎土台に保持する仲介体として用いられる。
【０００３】
特許文献１には、本出願の考案者等による地中に一部埋設される基礎架台が記載されている。
【先行技術文献】
【特許文献】
【０００４】
【特許文献１】特許第５１６６６３２号特許公報
【考案の概要】
【考案が解決しようとする課題】
【０００５】
特許文献１には、矩形状をした鋼製の平坦状天板と、取付フランジとしての鋼製の平坦状第１の底板と、平坦状第１の底板よりも大面積を有する鋼製の平坦状第２の底板と、前記平坦状天板と平坦状第１の底板とそれぞれの中央部で、固定された鋼製の中空柱とから構成され、前記平坦状天板には、該平坦状天板に載置される他部材との連結用の穿孔が設けられ、前記中空柱は、前記平坦状天板、前記平坦状第１の底板および平坦状第２の底板に対して直角方向に配置され、一定の高さを有して地中に埋設される基礎架台が記載されている。
【０００６】
太陽パネルのような上部建造物を設置する場合に、上部で太陽パネル建造物を保持する上部建造物と下部でこの上部建造物を保持する基礎架台との接合構造には天板が用いられるが、その構造は、太陽パネルのような上部建造物の大きさ毎に仕様を決めることになって煩わしい作業となる。すなわち、上部建造物との接続に用いられる天板は、上部建造物仕様に汎用的に対応することが出来て、煩わしさを低減させることの出来る構造にしたいというニーズがある。
【０００７】
本考案は、かかる点に鑑みて太陽パネルのような上部建造物を保持する基礎架台に用いられる天板を、上部建造物仕様に汎用的に対応することが出来て、煩わしさを低減させることの出来る構造にしてニーズに対応することを目的とする。
【課題を解決するための手段】
【０００８】
本考案は、鋼製の天板と、鋼製の平坦状の下端フランジと、下端フランジよりも大面積を有して下端フランジの下面で下端フランジに固定される鋼製の平坦状のベースプレートと、天板と下端フランジとに固定され、鉛直方向に配置される鋼製の杭基礎材とから構成され、基礎土台に一部埋設される基礎架台において、
天板が、杭基礎材の上端面に溶接で固着された上端フランジおよび上端フランジに固着されるアタッチメントプレートから構成され、
該アタッチメントプレートが、杭基礎材を中央にしてベースプレートに対称配置され、かつ対称配置の側方平坦面部と側方平坦部間に配置される、底部平坦面の凹形状部とから構成され、側方平坦面部に上部建造物体との接続用孔が設けられ、底部平坦面が上端フランジに着脱、すなわち分離可能に接続され一体とされること
を特徴とする基礎土台に一部埋設される基礎架台を提供する。
【考案の効果】
【０００９】
本考案は、上述したように構成されるので、複数個の同一形状の基礎架台を設置した時にあって、アタッチメントプレートの接続面に高低差が生じたような時にも高さ調整スペーサーを挿入介在させることで、アタッチメントプレートと上端フランジを着脱自在とすることで容易に十分に対応することが出来る。またこの着脱自在の構成によってアタッチメントプレートを取り外した形態の基礎架台を繰り返して使用することが出来、リサイクル化出来る。
また、上部で太陽パネル建造物を保持する上部建造物を地中で保持する基礎架台に用いられる天板を、仕様に汎用的に対応して煩わしさを低減させた構造にすることが出来、ニーズに十分に対応することが出来る。
【図面の簡単な説明】
【００１０】
【図１】本考案の実施例の基礎架台の形態を示す図。
【図２】アタッチメントプレートの平面図。
【図３】図２の側面図。
【図４】図２のＸ−Ｘ断面図。
【図５】上端フランジの平面図。
【図６】本実施例の部品構成例を示す図。
【考案を実施するための形態】
【００１１】
以下、本考案の構成を図面に基づいて説明する。
【実施例】
【００１２】
図１は、本考案の実施例である、基礎土台に接続される基礎架台の形態を示す図である。図２は、基礎架台に使用されるアタッチメントプレートの平面図、図３はその側面図、図４は図２のＸ―Ｘ断面図である。図５は、上端フランジの構成を示す平面図である。図６は、本考案実施例の部品構成例を示す図である。
【００１３】
掘削して一方向に長く形成された溝に、掘削された固定用の土が戻されることで基礎土台が構成される。本実施例で示す基礎架台は、このような基礎土台に、同一高さに調整されて設置される。複数の、設置物によっては、例えば太陽パネルアレイを保持するような場合、何百台もの基礎架台１が溝内に格子状に規則正しく、配置されることになる。
【００１４】
図１〜図６において、基礎架台１００は、主に上部に配置される天板１、下部に配置される下端フランジ２、天版１と下端フランジ２との間に鉛直方向に配置される杭基礎材３、下端フランジが接続されるベースプレート４、および高さ調整用のスペーサー５から構成される。
【００１５】
天板１は、上端フランジ６およびアタッチメントプレート７から構成される。
【００１６】
基礎架台１００は、鋼製の天板１と、鋼製の平坦状第１の下端フランジ２と、下端フランジ２よりも大面積を有して下端フランジの下面で下端フランジ２に固定される鋼製の平坦矩形状のベースプレート４と、天板１と下端フランジ２との間に固定され、鉛直方向に配置される鋼製の中空柱（支柱鋼管）等の杭基礎材３とから構成される。
【００１７】
天板１は、杭基礎材３の上端面に溶接２５で固着された上端フランジ６および上端フランジに固着されるアタッチメントプレート７から構成される。
アタッチメントプレート７は、一枚の板材を曲げ加工して構成され、全体として杭基礎材３を中央にしてベースプレート４に対称配置される。中央とは、間に置いてということである。また、アタッチメントプレート７は、対称配置の側方平坦面部３１と側方平坦部間に配置される、底部平坦面３４の凹形状部３３とから構成される。側方平坦部３１、底部平坦面３４は、矩形状をなし、凹形状部３３は、片側から他側に抜ける溝状の凹部形状をなす。この凹形状部３３内には、接合に使用する六角ボルト１１、スプリングワッシャー１３、平ワッシャー１４を十分に収納すること出来る空間を備えており、上部建造物をアタッチメントプレート７に上方から接続する時に何らの障害とならない。また、この凹形状部３３を深く絞られた形状にすることで、曲げ加工を容易に行うことが出来る。
【００１８】
底部平坦部３４にボルト孔２１が設けられ、側方平坦面部３１に上部建造物体との接続用のボルト孔２２が設けられる。底部平坦面３４が上端フランジ２５に着脱可能に接続され一体とされる。ボルト孔２１，２２は、位置調整挿入されるボルトの位置を調整し易くするために長孔としてある。
【００１９】
図６に、上部建造物を保持する、スチールあるいはアルミからなるアングル構成の架台側横レール５１、ボルト５２、スプリングワッシャー５３、平ワッシャー５４、絶縁ワッシャー５４が記載されている。これらの部材がアタッチメントプレート７に取り付けられる。
【００２０】
図５は、上端フランジ６の形態を示す平面図である。上端フランジ６は、円形状をなし、円形状とされた杭基礎材３の円形断面よりわずかに大きな直径を有するものされ、外端下部が溶接部とされる。溶接２５によって上端フランジ６は、杭基礎材３に一体化される。このように、天板１が、杭基礎材３の上端面に溶接で固着された上端フランジ６および上端フランジに固着され、分離可能なアタッチメントプレート７から構成される。
【００２１】
底部平坦面３４の下面と上端フランジ６の上面の間には、高さ調整用のスペーサー５が配置可能とされる。基礎架台１００は、基礎土台の中に高さ一定になるようにして複数設置されるが、工事の影響を受けてアタッチメントプレート７の上部建造物に対する間隙状態に差、すなわち高低に差が生じることになる。この差は計測され、アタッチメントプレート７の上部建造物に対する間隙状態に差が一定になるように高さ調整用スペーサー５が設置される。したがって間隙調整を要さない基礎架台には高さ調整用スペーサー５を設置することを要さないことになる。高さ調整用スペーサー５は、図に示す例では厚さの異なるようにして２枚準備されている。2枚以上であってもよい。
【００２２】
六角ボルト１１がボルト孔２１および高さ調整用スペーサー５、上端フランジに設けたボルト孔を貫通して挿入され、ナット１２によって締結される。これによってアタッチメントプレート７が上端フランジ６に固着され、アタッチメントプレート７および上端フランジ６からなる天板１が構成される。上端フランジ６は、上述したように溶接２５によって杭基礎材３に固着されており、天板１は、杭基礎材３に固着され得ることになる。
上部建造物にアタッチメントプレート７を取り付けるために、ボルト孔２２には、それぞれナット１９および平ワッシャー２０が準備される。図示しないボルトがボルト孔２２に挿入され、接続がなされる。
【００２３】
杭基礎材３には、鋼製の中空柱を用いることが望ましいが他の基礎建造材であってもよい。この杭基礎材３の下端には、溶接２６によって下端フランジ１５が固着される。下端フランジ２は、一枚の板材から製作され、矩形平坦状をなす。矩形平坦状の４隅にボルト孔２３が形成される。この例では、下端フランジ２は、矩形状のものが使用されているが、この形状に限定されず、円状であってもよい。
【００２４】
下端フランジ２は、ベースプレート４に固着されるが、間にゴムシート１５が介在される。ベースプレート４は、一枚の板材から製作され、平坦矩形状をなして構成される。
下端フランジ２およびベースプレート４には、左右対称位置にボルト孔２３，２４がそれぞれ設けられている。ゴムシート１５にも同様にしてボルト孔が設けられている。これらのボルト孔を介して、六角ボルト１６およびナット１７によって下端フランジ２は、ベースプレート４に固着される。ナット１７の内側には、平ワッシャー１８が設けられる。
【００２５】
基礎架台１００の仕様の例を示すと、下端フランジ２は、１５０ｍｍ×１５０ｍｍ×６．０ｍｍ、ベースプレートは６００ｍｍ×６００ｍｍ×６ｍｍ厚さ、杭基礎材は外径φ８９．１〜１１４．３ｍｍ、アタッチメントプレートの厚さ６ｍｍである。
【００２６】
図１に示すように、アタッチメントプレート７が、杭基礎材を中央にしてベースプレート４に対称配置され、上部建造物からの荷重は、４方に均等に分散され、大面積のベースプレート４によって安定して受けられる。また、天板１は、杭基礎材３の溶接で固着された上端フランジ６とアタッチメントプレート７とで構成され、アタッチメントプレート７は、上端フランジ６に、上部建造物のアタッチメントプレート７への接続を阻害することがなく着脱自在に接続されるようにしているので、アタッチメントプレート７に各種の仕様のものを採用できるようになる。また、複数個の同一形状の基礎架台１００を設置した時にあって、アタッチメントプレート７の接続面に高低差が生じたような時にも高さ調整スペーサー５を挿入介在させることで、アタッチメントプレート７と上端フランジ６を着脱自在とすることで容易に十分に対応することが出来る。またこの着脱自在の構成によってアタッチメントプレート７を取り外した形態の基礎架台を繰り返して使用することが出来、リサイクル化出来る。
【００２７】
本実施例によれば、上部で太陽パネル建造物を保持する上部建造物を地中で保持する基礎架台に用いられる天板を、仕様に汎用的に対応して煩わしさを低減させた構造にすることが出来、ニーズに十分に対応することが出来る。
【符号の説明】
【００２８】
１…天板、２…下端フランジ、３…杭基礎材、４…ベースプレート、５…高さ調整用スペーサー、６…上端フランジ、７…アタッチメントプレート、１１…六角ナット、１２…ナット、１３…スプリングワッシャー、１４…平ワッシャー、１５…ゴムシート、２５，２６…溶接部、１００…基礎架台。
【図１】
0003188748.tif 000003
【図２】
0003188748.tif 000004
【図３】
0003188748.tif 000005
【図４】
0003188748.tif 000006
【図５】
0003188748.tif 000007
【図６】
0003188748.tif 000008